(57)【要約】【課題】ゴミ箱の安定性を向上させるとともに、収納効率の優れた水平スタック機能を確実に発揮でき、スタックされたゴミ箱の運搬および袋体の着脱を容易にすることができる新規有用なゴミ箱を提供する。【解決手段】ベース１１及びこのベース１１に支持される固定フレーム１２を有する本体１と、袋体５を取り付ける可動フレーム３と、可動フレーム３を本体１に取り付ける支軸４とを具備しており、可動フレーム３が略水平姿勢をとる使用状態から支軸４回りに回転して略直立に起立する待機状態になることで、ベース１１同士を一部重合させてゴミ箱Ｄを相互に水平スタックできるようにした。【選択図】図４
2006096538.tif 000002
【特許請求の範囲】
【請求項１】
ベース及びこのベースに支持される固定フレームを有し床上を移動可能な本体と、袋体を取り付ける可動フレームと、この可動フレームを前記本体に取り付ける支軸とを具備してなるゴミ箱であって、前記可動フレームが略水平姿勢をとる使用状態から前記支軸回りに回転して起立する待機状態になることで、前記ベース同士を一部重合させて前記ゴミ箱を相互に水平スタックできるように構成したことを特徴とするゴミ箱。
【請求項２】
前記待機状態において、水平スタックされる他方のゴミ箱の少なくとも一部と係合して水平スタック状態を保持するスタック保持手段を備えていることを特徴とする請求項１記載のゴミ箱。
【請求項３】
前記使用状態において、縦列に連なる他方のゴミ箱の少なくとも一部と係合して縦列状態を保持する縦列保持手段を備えていることを特徴とする請求項１〜２記載のゴミ箱。
【請求項４】
前記可動フレームが一部に開口端を有した概略周回形状をなすことを特徴とする請求項１〜３記載のゴミ箱。
【請求項５】
前記袋体が、前記可動フレームを挿入する筒部を当該袋体の上端に設けていることを特徴とする請求項１〜４記載のゴミ箱。
【請求項６】
前記固定フレームが、前記ベースの後端部から立ち上がるとともに、前方に持ち出した突出部を有し、この突出部に前記支軸を取り付けていることを特徴する請求項１〜５記載のゴミ箱。
【請求項７】
前記可動フレームの前記開口端に対応する部分を開放した状態で移動力を付与するためのハンドル部を前記本体の上方に備えていることを特徴する請求項４記載のゴミ箱。
【請求項８】
前記袋体が、前記可動フレームから着脱される際に把持できる握り部を当該袋体の上端に備えていることを特徴とする請求項１〜７記載のゴミ箱。
【請求項９】
前記握り部が、前記袋体の一部を利用した収容部と、この収容部に挿脱可能に収納される板部材とを備えていることを特徴とする請求項８記載のゴミ箱。
【発明の詳細な説明】
【技術分野】
【０００１】
本発明は、水平スタック時の運搬性及び安定性を向上させたゴミ箱に関するものである。
【背景技術】
【０００２】
従来よりこの種のゴミ箱として、例えば特許文献１に示すように、本体と、当該本体に取り付けられる係止部を有する袋体とを備えたものが知られている。当該本体は、前記袋体を支持する支持部を上端に設けた前脚と、同じく前記支持部を上端に設けた後脚と、略中央にて枢結された２本の棒部材を用いて前記前脚及び前記後脚が連結されるＸリンク部とを備えている。そして、前記前脚と前記後脚とを接近させることで、扁平に折り畳むことができるようにしている。また、このようなものは、袋体に収容されたゴミを除去する為、前記係止部を取外自在にし、前記本体から前記袋体を着脱できるのが一般的である。
【特許文献１】特開２０００−２５９０４号公報
【発明の開示】
【発明が解決しようとする課題】
【０００３】
ところが、このようなゴミ箱であると、不使用時にコンパクトに収納するためには平面的に折り畳まれた前記ゴミ箱を上下方向に相互に積み重ねる垂直スタックを採用することとなり、横滑りを起こし易く安定したスタック状態を維持することができない。さらに、当該スタックされた状態で前記ゴミ箱を収納スペース等へ運搬する場合には専用の台車などが必要となる。一方、前記ゴミ箱を相互に自立或いは立て掛けて重ねる水平スタックは、扁平に折り畳まれた状態では前記ゴミ箱の自立性に欠ける上、前記脚部にキャスタなどの移動手段を備えたものであると前記ゴミ箱が床に対して静止困難となり、転倒し易く不安定である。
【０００４】
また、前記袋体に収容されたゴミを除去するために、袋体を前記本体から着脱する必要があるが、その着脱作業は前記本体の前脚、後脚、Ｘリンク部との干渉を避けるため、袋体を上方に持ち上げる必要があり、作業者に過度の負担を強いている。
【０００５】
さらに、ゴミの分別に対応するため前記ゴミ箱を多数で使用する場合等には、ゴミ収集時にこれら多数のゴミ箱をゴミ集積場まで個別に運搬する必要があり、運搬者に過度の負担を与えている。
【０００６】
本発明は、このような課題に着目してなされたものであって、水平スタック時の安定性及び運搬性を有効に向上させるとともに、併せて、使用時の利便性及び運搬性を向上させたゴミ箱を提供することを目的としている。
【課題を解決するための手段】
【０００７】
本発明は、上記の目的を達成するために、次のような手段を講じたものである。
【０００８】
すなわち、本発明に係るゴミ箱は、ベース及びこのベースに支持される固定フレームを有し床上を移動可能な本体と、袋体を取り付ける可動フレームと、この可動フレームを前記本体に取り付ける支軸とを具備し、前記可動フレームが略水平姿勢をとる使用状態から前記支軸回りに回転して起立する待機状態になることで、前記ベース同士を一部重合させて前記ゴミ箱を相互に水平スタックできるようにしたことを特徴とする。
【０００９】
このような構成のものであると、可動フレームが略水平姿勢をとる使用状態から略直立に起立する待機状態になることで、水平スタック時に当該可動フレームが他方のゴミ箱の可動フレームと干渉することを防止し、これにより収納効率が改善されて、限られた収納空間を有効に活用できるようになる。また、前記ゴミ箱は、ベース及び当該ベースに支持される固定フレームを有する本体と、使用状態及び待機状態をとる可動フレームとを前記支軸を介して取り付けている。従って、可動部分である前記可動フレームが何れの状態にあっても、不動部分である本体によって水平スタックされたゴミ箱の転倒を防止し、常に安定して移動可能な状態を維持することができる。
【００１０】
水平スタックされた前記ゴミ箱の運搬を効率よく行うためには、前記待機状態において、水平スタックされる他方のゴミ箱の少なくとも一部と係合して水平スタック状態を保持するスタック保持手段を備えていることが好ましい。
【００１１】
前記使用状態において縦列に配置された前記ゴミ箱の運搬を効率よく行うためには、前記使用状態において、縦列に連なる他方のゴミ箱の少なくとも一部と係合して縦列状態を保持する縦列保持手段を備えていることが効果的である。
【００１２】
前記ゴミ箱を、袋体の着脱の便を損なうことなく強固なものとするには、前記可動フレームが一部に開口端を有した概略周回形状をなすことが望ましい。
【００１３】
前記袋体の着脱に便ならしめるためには、当該袋体が、前記可動フレームを挿入する筒部をその上端に設けていることが望ましい。
【００１４】
前記ゴミ箱の自立性を確保するためには、前記固定フレームが、前記ベースの後端部から立ち上がるとともに、前方に持ち出した突出部を有し、この突出部に前記支軸を取り付けておくことが有効である。
【００１５】
さらに、前記袋体の着脱の便を損なうことなくゴミ箱の移動に便ならしめたるには、前記可動フレームの前記開口端に対応する部分を開放した状態で移動力を付与するためのハンドル部を前記本体の上方に備えておくのが好ましい。
【００１６】
また、前記袋体の着脱に便ならしめるためには、前記可動フレームから着脱される際に把持できる握り部を当該袋体の上端に備えておくことが望ましい。
【００１７】
さらにまた、前記袋体の衛生状態を良好に保つためには、前記握り部が、当該袋体の一部を利用した収容部と、この収容部に挿脱可能に収納される板部材とを備えていることが望ましい。
【発明の効果】
【００１８】
本発明は、以上のような構成であるから、ゴミ箱の安定性を向上させることができるとともに、収納効率の優れた水平スタック機能を確実に発揮することができ、スタックされたゴミ箱の運搬および袋体の着脱を容易に行なうことができる上に、使用時のゴミ箱の利便性・運搬性も併せて向上させることの可能な新規有用なゴミ箱を提供することが可能となる。
【発明を実施するための最良の形態】
【００１９】
以下、本発明の一実施形態を、図面を参照して説明する。
【００２０】
図１から図３は本発明の一実施形態に係るゴミ箱Ｄを示す三面図であり、図４及び図５はそれぞれ前記ゴミ箱Ｄの使用状態及び待機状態を示す斜視図である。ただし、図３については、本実施形態の説明の便宜上、後述する袋体５を取り外した状態で前記ゴミ箱Ｄを示している。
【００２１】
この実施形態のゴミ箱Ｄは、図１から図５に示したとおり、ベース１１及びこのベース１１に支持される固定フレーム１２を有し床上を走行可能な本体１と、待機状態において水平スタック状態を保持するスタック保持手段２と、袋体５を取り付ける可動フレーム３と、前記可動フレーム３を前記本体１に取り付ける支軸４と、前記袋体５とを備えてなり、前記可動フレーム３が略水平姿勢をとる使用状態から前記支軸４回りに回転して略直立に起立する待機状態になることで、図６に示すように、ベース１１同士を一部重合させて前記ゴミ箱Ｄを相互に水平スタックできるように構成してある。なお、本明細書において水平スタック及び縦列の説明をする際、前後関係を特に明確にする必要がある場合は、後方に位置するゴミ箱Ｄ又はその構成要素の符号に「ｒ」の小文字を付し、前方に位置するゴミ箱Ｄ又はその構成要素の符号に「ｆ」の小文字を付することとする。
【００２２】
具体的に説明すると、前記ベース１１は、外側フレーム１１１と、前記外側フレーム１１１の上面に係合される内側フレーム１１２とを備える。
【００２３】
前記外側フレーム１１１は、平面視において後方に開口する略逆コの字形をなすもので、左右方向に延びる前部１１１ａと、当該前部１１１ａの左右から後方に向けて拡開しながら延出する左右一対の外側テーパ部１１１ｂとを形成して、一部にストッパ機能を有したキャスタ１１１ｃを前部近傍及び後部近傍にそれぞれ取り付け、床面Ｙに移動可能に接地される。本明細書において、後述するハンドル部１２４を利用して前記ゴミ箱Ｄを押し出す方向を前方、その逆を後方と称している。
【００２４】
前記内側フレーム１１２は、平面視において後方に開口する略逆コの字形のもので、左右方向に延びる前部１１２ａと、当該前部１１２ａの左右から後方に向けて拡開しながら延出する左右一対の内側テーパ部１１２ｂとを形成し、その内側テーパ部１１２ｂの後端から左右方向に背向する左右一対の後部１１２ｃを設けている。すなわち、前記外側テーパ部１１１ｂと前記内側テーパ部１１２ｂを対応させて、前記内側フレーム１１２の前部１１２ａ及び後部１１２ｃを、前記外側フレーム１１１の前部１１１ａ及び前記外側テーパ部１１１ｂの後方部にそれぞれ接合し、内側フレーム１１２を外側フレーム１１１の上面に取り付けている。
【００２５】
前記水平スタック状態において、図６に示すように後方から近づく他の前記ゴミ箱Ｄｒの前記ベース１１ｒが、前方に位置するゴミ箱Ｄｆの前記ベース１１ｆに入り込むと、後方に拡開する前記外側テーパ部１１１ｂｆ、１１１ｂｒが互いに当接して前記ベース１１ｆ、１１ｒ同士が重合し、前記ゴミ箱Ｄｆ、Ｄｒが水平スタックされるようにしている。さらに、前方に位置する前記ゴミ箱Ｄｆの内側フレーム１１２ｆは、当該ゴミ箱Ｄｆの外側フレーム１１１ｆの上面に位置するので、後方から近づく他のゴミ箱Ｄｒの外側フレーム１１１ｒと干渉することがなく、かつ当該外側フレーム１１１ｒの上動を規制する機能を担う。
【００２６】
前記固定フレーム１２は、前記ベース１１の後端部から立ち上がり略直立する直立部１２１と、前方に持ち出すように傾斜する前傾部１２２と、その前傾部１２２の上端から後方に傾斜する後傾部１２３と、その後傾部１２３の上端から互いに相寄る方向に延出するハンドル部１２４とを左右一対に形成し、前記固定フレーム１２の全高を略三分割する割合で前記直立部１２１、前記前傾部１２２及び前記後傾部１２３をそれぞれ設定している。前記前傾部１２２と前記後傾部１２３との連結部分である突出部１２５は、前記ベース１１の前後方向の略中心近傍に配設され、当該突出部１２５の内側に設けられた補強板１２６を介して後述する支軸４を取り付けている。前記ハンドル部１２４は、前記可動フレーム３の後述する開口端３１に対応する部分を開放した形態をなすもので、当該ハンドル部１２４の外周部分には、略筒状のゴム製グリップ１２４ａを備えている。
【００２７】
前記スタック保持手段２は、前面と後面とを有する下方に突出した左右一対の爪２１を具備してなり、その前面に略半円に切欠した形状の係合部２１１と、その後面に後方に傾斜した傾斜部２１２とを形成している。略半円を切欠した形状は前記外側フレーム１１１の外形に対応している。水平スタック動作の際、図６に示すように、後方から近づく他の外側フレーム１１１ｒが、前方に位置するゴミ箱Ｄｆの爪２１ｆと直面すると当該爪２１ｆの後面に形成した前記傾斜部２１２ｆを利用して滑らかに潜通して乗り越え、その位置で後方のゴミ箱Ｄｒの前部１１１ａが当該前方のゴミ箱Ｄｆの爪２１ｆの前面に形成した係合部２１１ｆと係合して、前記水平スタック状態を保持するようにしている。すなわち、前記爪２１ｆは、水平スタック状態で後方に位置するゴミ箱Ｄｒの外側フレーム１１１ｒと前方に位置するゴミ箱Ｄｆの係合部２１１ｆとが係合する位置関係となるように、前記ベース１１ｆを構成する内側テーパ部１１２ｂｆの下方に取り付けられている。
【００２８】
前記可動フレーム３は、略水平姿勢をとる前記使用状態で平面視すると、後方に左右一対の開口端３１を有した略逆コの字形状をなすもので、左右側部には、前記可動フレーム３を後述する支軸４を介して固定フレーム４に回動自在に支持するための一対のブラケット３２（図７参照）を形成しており、これにより可動フレーム３は、前記支軸４回りに略水平姿勢をとる前記使用状態と略直立に起立する前記待機状態とを選択的にとり得るものとなっている。
【００２９】
前記可動フレーム３の前後寸法は前記ベース１１の前後寸法と略同じで、その幅寸法は左右一対の前記固定フレーム１２間の幅方向の内寸より若干狭く設定されており、前記ブラケット３２は可動フレーム３の側部を前記開口端３１を基点に略１対２に内分する位置に設けられている。
【００３０】
なお、上述したベース１１、固定フレーム１２及び可動フレーム３は、いずれもスチールパイプを折り曲げ加工したものである。
【００３１】
前記支軸４は、例えば図７に示すように、前記可動フレーム３のブラケット３２と前記本体１の補強板１２６とを貫通させて取り付けられたもので、ブラケット３２には前記支軸４の軸心から変位した位置に当該支軸４と平行なピン３２１が外向に突出する一方、前記補強板１２６に当該ピン３２１の挿入される円弧状の長孔１２６ａが設けられて、当該長孔１２６ａによって前記ピン３２１の移動範囲を規制している。すなわち、これらのピン３２１及び長孔１２６ａが協働して、前記可動フレーム３を使用状態及び待機状態に停止させるストッパの機能を担っている。
【００３２】
前記袋体５は、布で縫製された上面に開口する略直方体の袋状をなすもので、左右側面の上端後方に左右一対の筒部５１と、前面の上端に係止部５２と、後面の上端に握り部５３とを形成している。前記筒部５１は、前記可動フレーム３の外形より若干大きな内径をもつ前後方向に貫通したものである。前記係止部５２は、前記袋体５の前面上端から延出した貼り代５２１の片面に面ファスナ等の接着部材５２１ａを有したものである。前記握り部５３は、前記袋体５の後方上端部を内方に折り返して形成される収容部５３１と、その収容部５３１に収納される樹脂製の板部材５３２とを備え、前記袋体５が前記可動フレーム３から着脱される際に前記握り部５３を把持できるとともに、前記収容部５３１の端部を開口して前記板部材５３２を挿脱可能にしている。上記のように構成された袋体５は、前記可動フレーム３の開口端３１を前記筒部５１に挿入した後、前記可動フレーム３の前部を前記係止部５２に巻き込んで接着部材５２１ａにより止着することで、前記可動フレーム３に取り付け可能となっている。前記袋体５は、使用状態において可動フレーム３とベース１１が高さ方向に対向する空間に収容される外寸に設定されている。
【００３３】
前記袋体５の前面中央には、図１、図４及び図５に示すように、透明で略矩形状のシート５４１を上端のみを開口して当該袋体５に縫合してなる収納部５４を設けて、ゴミの分類などを明示した薄手の物を収納して外部に表示できる構成となっている。なお、袋体５を構成する布は、例えば撥水加工の施されたテント生地を使用したものである。
【００３４】
以上のようにして、本実施形態のゴミ箱Ｄは、ベース１１と前記ベース１１に支持される固定フレーム１２とを有する本体１と、袋体５を取り付ける可動フレーム３と、前記可動フレーム３を前記本体１に取り付ける支軸４とを具備し、前記可動フレーム３が略水平姿勢をとる使用状態から前記支軸４回りに回転して略直立に起立する待機状態になることで、前記ベース１１同士を一部重合させて前記ゴミ箱Ｄを相互に水平スタックできるようにしたものである。
【００３５】
このような構成のものであると、図４及び図５に示すように、前記可動フレーム３が略水平姿勢をとる使用状態から略直立に起立する待機状態になることにより、図６のように、前記水平スタック時に前記可動フレーム３ｒが前方のゴミ箱Ｄｆの可動フレーム３ｆと干渉してしまうことを防止し、収納効率が改善されるので、限られた収納空間を有効に活用することができる。特に、本実施形態では、前記袋体５が布で縫製された柔軟性を有しており、前記待機状態において当該可動フレーム３に取り付けられた袋体５をその自重で水平方向に狭めるように変形できるので、ゴミ箱Ｄを水平スタックする際に、袋体５が邪魔になることを回避することができる。また、前記ゴミ箱Ｄは、ベース１１及びベース１１に支持される固定フレーム１２を有する本体１と、使用状態及び待機状態をとる可動フレーム３とを支軸４を介して取り付けている。従って、可動部分である前記可動フレーム３が何れの状態にあっても、不動部分である前記本体１によって、水平スタックされた前記ゴミ箱Ｄの転倒を防止し、常に安定した移動状態を維持することができる。
【００３６】
また、本実施形態は、図６に示すように、待機状態において水平スタックされる他方のゴミ箱Ｄｒの外側フレーム１１１ｒと係合して水平スタック状態を保持するスタック保持手段２ｆである前記爪２１ｆを備えている。
【００３７】
このようなものであると、後方から近づく他のゴミ箱Ｄｒが前方に位置するゴミ箱Ｄｆに水平スタックされる際、前方の内側テーパ部１１２ｂｆに設けられた前記爪２１ｆが後方に位置する他のゴミ箱Ｄｒの外側フレーム１１１ｒを構成する前部１１１ａｒと係合するので、水平スタックを解除する方向に対して前記ゴミ箱Ｄｆ、Ｄｒ同士の相対移動を禁止して、水平スタック状態を有効に保持することができる。これにより、運搬者は水平スタックされた状態で複数の前記ゴミ箱Ｄを不自由なく簡単に運搬でき、運搬者に対する負担の軽減と運搬時間の短縮を図ることができる効果がある。
【００３８】
さらに、本実施形態では、前記可動フレーム３が後方に左右一対の開口端３１を有した略逆コの字をなす部分周回形状をなしている。
【００３９】
このようなものであれば、前記ゴミ箱Ｄをほぼ閉じた構造体にすることが可能となり、前記ゴミ箱Ｄ全体の剛性を上げることに有効である。また、前記可動フレーム３が袋体５の上面をほぼ周回するので、袋体５から作用する荷重を前記可動フレーム３の全域で分散して受けることとなり、ゴミの耐荷重性を有効に向上させることができる。
【００４０】
また、本実施形態では、前記袋体５が、可動フレーム３の開口端３１を挿入する左右一対の筒部５１を当該袋体５の上端後方に設けている。
【００４１】
このようなものであると、前記可動フレーム３が略水平姿勢をとる使用状態において、前記袋体５を前記可動フレーム３の開口端３１に向けて水平方向に移動して、上端後方に設けた筒部５１を前記可動フレーム３の開口端３１から挿入した後、前記袋体５の前面上端に設けた係止部５２を用いて可動フレーム３の前部を係止すれば、前記袋体５の可動フレーム３への取り付けを完了することができる。つまり、従来のゴミ箱のように袋体を持ち上げることなく、ほぼ水平移動するだけで前記袋体５をゴミ箱Ｄに着脱することができる。また、本実施形態のゴミ箱Ｄによれば、前記係止部５２のみならず左右一対の筒部５１が前記可動フレーム３に係止することにより、これらが協働して袋体５から作用する荷重を支持するので、面ファスナなどの接着部材を有した係止部だけで袋体を支持する場合と比較して支持状態が確実となり、従来のゴミ箱に比べて前記係止部を削減でき、それに用いられる面ファスナなどの止着部材が削減できるものとなる。勿論、釦を用いた場合にも全く同様の効果がある。
【００４２】
さらに、本実施形態では、前記固定フレーム１２が、前記ベース１１の後端部から立ち上がる直立部１２１とともに、前方に持ち出した前傾部１２２及びこれに連続する後傾部１２３の境界部分である突出部１２５を有しており、この突出部１２５の内側に設けた補強板１２６に前記支軸４を取り付けている。
【００４３】
したがって、可動フレーム３が略垂直に起立する前記待機状態における前記ゴミ箱Ｄの重心を当該ゴミ箱Ｄの略中心に位置づけておくことができ、当該ゴミ箱Ｄの安定した自立性を有効に確保することができる。また、前記ゴミ箱Ｄが上方に狭く下方に広い外観を呈し、視覚的にも安定観を有するものとなる。
【００４４】
また、本実施形態では、前記可動フレーム３の前記開口端３１に対応する部分を開放するように前記ハンドル幅を設定して、前記固定フレーム１２の上部に移動力を付与するハンドル部１２４を備えている。
【００４５】
このため、前記袋体５を着脱する際に手が前記ハンドル部１２４と干渉することを回避しつつ、前記袋体５を水平移動するのみで前記可動フレーム３に対して着脱するという叙述の効果を有効に担保することができる。
【００４６】
また、本実施形態において、前記袋体５に、前記可動フレーム３から着脱される際に把持できる握り部５３を当該袋体５の後面上端に備えている。
【００４７】
すなわち、前記袋体５を手でしっかり掴む部分を設けているので、水平移動して前記袋体５を可動フレーム３に着脱する作業を容易にすることができる。
【００４８】
特に、本実施形態において、前記握り部５３が、前記袋体５の後方上端部を内方に折り返して形成される収容部５３１と、当該収容部５３１に挿脱可能に収納される前記板部材５３２とを備えている。
【００４９】
このようなものであると、前記袋体５から前記板部材５３２を取り外して袋体５を洗浄することができるので、ゴミを収容することにより頻繁に汚れる袋体５を清潔に維持することができる。また、当該着脱時に前記袋体５が受ける外力が板部材５３２を介して分散させるので、前記袋体５の損傷を有効に防止することが可能となる。
【００５０】
以上、本発明の一実施形態について説明したが、各部の具体的構成は、上述した実施形態のみに限定されるものではない。
【００５１】
例えば、上述した実施形態では、スタック時におけるゴミ箱の運搬性の向上のためにスタック保持手段２を設けたが、さらに、使用状態におけるゴミ箱の利便性・運搬性を向上させるために、上述した実施形態と同様の構成に加えて、ゴミ箱の前後方向に他のゴミ箱を縦列に連結できる縦列保持手段６を設けておくことも有効である。なお、以下に述べる実施形態に用いる符号は、上述した実施形態と同様の構成については、同じ符号を使用している。
【００５２】
縦列保持手段６は、図８に示すように、前面と後面とを有する下方に突出した前方爪６１及び後方爪６２からなり、前記内側テーパ部１１２ｂの後方下部に左右一対に設けられている。前記前方爪６１は、その前面に前方に傾斜した傾斜部６１１と、その後面に略半円に切欠した形状の係合部６１２とを形成する。一方、後方爪６２は、その前面に略半円に切欠した形状の係合部６２１と、その後面に後方に傾斜した傾斜部６２２とを形成する。前記略半円を切欠した形状は前記外側フレーム１１１の外形に対応しており、前記前方爪６１の後面に形成された係合部６１２と、前記後方爪６２の前面に形成された係合部６２１との間に、前記外側フレーム１１１の外形が係合されるようになっている。
【００５３】
複数の前記ゴミ箱Ｄｆ、Ｄｒを縦列に連ねる場合、図９に示すように、後方から近づく他の外側フレーム１１１ｒが、前方に位置するゴミ箱Ｄｆの後方爪６２ｆと直面すると当該後方爪６２ｆの後面に形成した前記傾斜部６２２ｆを利用して滑らかに潜通して乗り越えた位置で、前記外側フレーム１１１ｒの前部１１１ａｒが、前記後方爪６２ｆの前面に形成した前記係合部６２１ｆと、前方爪６１ｆの後面に形成した係合部６１２ｆとによって係合して、縦列状態を保持するようにしている。
【００５４】
以上のようにして、図８に示すゴミ箱Ｄｆは、使用状態において縦列に連なる他方のゴミ箱Ｄｒの外側フレーム１１１ｒと係合して縦列状態を保持する縦列保持手段６ｆである前記前方爪６１ｆ及び前記後方爪６２ｆを更に備えている。
【００５５】
このようなものであると、図９に示すように、後方から近づく他のゴミ箱Ｄｒが前方に位置するゴミ箱Ｄｆに縦列に連ねられる際、前方の内側テーパ部１１２ｂｆ後方下部に設けられた前記前方爪６１ｆ及び後方爪６２ｆが、後方に位置する他のゴミ箱Ｄｒの外側フレーム１１１ｒを構成する前部１１１ａｒと係合するので、前記ゴミ箱Ｄｆ、Ｄｒ同士の相対移動を禁止して、縦列状態を有効に保持することができる。これにより、運搬者は縦列状態で使用時の複数の前記ゴミ箱Ｄｆ、Ｄｒを不自由なく簡単に運搬でき、前記運搬者に対する負担の軽減と運搬時間の短縮を図る効果がある。
【００５６】
また、外側テーパ部１１１ｂの外周の一部に樹脂製パイプ、ゴムパイプ等からなる緩衝材を嵌合させる等して設けても良い。このようにすると、水平スタックの際及び水平スタック状態において、前後のゴミ箱Ｄ同士の接触を和らげることができる。
【００５７】
その他の構成も、本発明の趣旨を逸脱しない範囲で種々変形が可能である。
【図面の簡単な説明】
【００５８】
【図１】本発明の一実施形態に係るゴミ箱を示す正面図。
【図２】同実施形態に係るゴミ箱を示す側面図。
【図３】同実施形態に係るゴミ箱を示す平面図。
【図４】同実施形態に係るゴミ箱の使用状態を示す斜視図。
【図５】同実施形態に係るゴミ箱の待機状態を示す斜視図。
【図６】同実施形態に係るゴミ箱の水平スタック状態を示す側面図。
【図７】同実施形態に係るゴミ箱を示す要部拡大図。
【図８】本発明の他の実施形態に係るゴミ箱の使用状態を示す斜視図。
【図９】同実施形態に係るゴミ箱の縦列状態を示す側面図。
【符号の説明】
【００５９】
Ｄ…ゴミ箱
１…本体
２…スタック保持手段
３…可動フレーム
４…支軸
５…袋体
６…縦列保持手段
１１…ベース
１２…固定フレーム
３１…開口端
５１…筒部
５３…握り部
１２４…ハンドル部
１２５…突出部
５３１…収容部
５３２…板部材
【図１】
2006096538.tif 000003
【図２】
2006096538.tif 000004
【図３】
2006096538.tif 000005
【図４】
2006096538.tif 000006
【図５】
2006096538.tif 000007
【図６】
2006096538.tif 000008
【図７】
2006096538.tif 000009
【図８】
2006096538.tif 000010
【図９】
2006096538.tif 000011